(57)【要約】【課題】小型の巻尺であっても適度な制動力を得ることができると共に、製品間において制動力のばらつきがなく、テープを引き出しやすい暗巻尺の制動構造を提供する。【解決手段】巻き取られた巻尺テープを収納する巻尺ケースと、上記巻尺ケース内に厚さ方向に沿って突設された軸部に回転可能に装着され、上記巻尺テープが巻装されるドラムとを備え、上記テープが巻尺ケースから引き出される際に、上記ドラムを上記巻尺ケースの内側面部に圧接させて制動力を得るように構成された巻尺ケースの制動構造において、上記ドラムの周縁部を部分的に巻尺ケースの内側面部に圧接させる。【選択図】  図２
2010156559.tif 000002
【特許請求の範囲】
【請求項１】
巻き取られた巻尺テープを収納する巻尺ケースと、上記巻尺ケース内に厚さ方向に沿って突設された軸部に回転可能に装着され、上記巻尺テープが巻装されるドラムとを備え、上記テープが巻尺ケースから引き出される際に、上記ドラムを上記巻尺ケースの内側面部に圧接させて制動力を得るように構成された巻尺ケースの制動構造において、
上記ドラムの周縁部を部分的に巻尺ケースの内側面部に圧接させることを特徴とする巻尺ケースの制動構造。
【請求項２】
上記巻尺ケースは、内部に巻尺テープを収納しうる厚さ寸法を有する全体円盤状に形成されると共に、上記ドラムの周縁部には上記巻尺ケースの内側面部に圧接しうる制動部が互いに間隔を置いて設けられていることを特徴とする請求項１記載の巻尺ケースの制動構造。
【請求項３】
上記制動部は、巻尺ケース内側面部に対して弾性的に圧接しうるように構成されていることを特徴とする請求項２記載の巻尺ケースの制動構造。
【請求項４】
上記巻尺ケースは、厚さ方向の一側面部には円形開口部を有し、上記ドラムは、上記円形開口部に配置される本体部と、上記本体部に連設され、上記テープが巻装される巻取り部とを有し、上記本体部の周縁には上記開口部の内方周縁部に圧接しうる制動部が設けられていることを特徴とする請求項１〜３記載の巻尺ケースの制動構造。
【請求項５】
上記制動部は、上記本体部の周縁に所定間隔をおいて複数形成された基部と、
上記基部から軸方向に突出形成された突部とを有することを特徴とする請求項４記載の巻尺ケースの制動構造。
【請求項６】
上記基部は、上記ドラムの外周面部に固定された脚部と、上記脚部に連設されると共に上記外周面部から離間して配置され、上記突部が形成された支持部とを備えていることを特徴とする請求項５記載の巻尺ケースの制動構造。
【請求項７】
上記基部は平面略コ字状に形成され、上記脚部は一対に設けられると共に上記支持部は上記一対の脚部の間に設けられ、
上記突部は上記支持部の長さ方向中央部に形成され、ドラムの軸方向に沿って、上記支持部の弾性変形により可撓するように構成されていることを特徴とする請求項６記載の巻尺ケースの制動構造。
【発明の詳細な説明】
【技術分野】
【０００１】
本発明は、巻尺ケースの制動構造の改良に関する。
【背景技術】
【０００２】
一般に、金属製の巻尺テープを側面円形状であって合成樹脂製等のケース内に収納できる、いわゆる「密閉型」の巻尺が広く使用されている。
このような密閉型の巻尺にあっては、金属製のテープを引き出した場合には、引き出されるテープに所定の重量があることから、テープ自体の慣性力によって巻尺テープが巻装されているドラムが回ってしまい巻尺テープがケースから大量に出てしまう場合や、巻尺テープがケース内に広がってケース内周面部に巻尺テープが張り付いてしまい、ドラムが空転してしまうことからテープをなかなか引き出せない場合がある。
【０００３】
このような密閉型の巻尺の一例を示すと、図８（１）に示すように、巻尺８０ａは、合成樹脂製であって、所定の厚さ寸法を有する円盤状に形成されたケース８１と、上記ケース８１の中央部に形成された軸部８２に回転可能に装着され、一側面部に形成された開口部８３に配置され、テープが巻装される合成樹脂製のドラム８４とを備えている。
【０００４】
そして、上記軸部８２の基端部には板バネ８５が内装され、板バネ８５の付勢力によりドラム８４を上記軸部８２の反基端部側のケース内側周面部８６に圧接させるか、又は、図８（２）に示すように、ドラム８４と上記ケース内側周面部８６との間に金属製のリング部材８７を配置することによりドラム８４の回転に対する制動力を得るようにした巻尺８０ｂがあった。
【０００５】
しかしながら、このように構成された巻尺８０ａ，８０ｂにあっては、常時、ドラム８４の回転に対する制動力が作用することから、テープを引き出す場合に、引き出すために所定の力が必要とされるためテープを引き出しにくく、また、上記板バネ８５や上記リング部材８７が必要となることから部品点数が増加すると共に、製作コストが嵩む、という不具合があった。
【０００６】
このような不具合を解消するために、図９（１）及び図９（２）に示すように、本件特許出願人によって、従来、上記ドラム８４が摺接する上記ケース内側面部と対向するドラム８４の基端部８８に斜板カム従動部８９を設けると共に、軸部８２の周囲に、上記斜板カム従動部８９に対向して配置される斜板カム部９０を設け、上記ドラム８４がテープを開放する方向へ回転する場合には
図９（２）に示すように、上記斜板カム従動部８９が斜板カム部９０の登り方向へ回転動して上記ドラム８４の開口側周縁部９１が上記ケースの内側周面部８６に圧接して制動力を発生すると共に、上記ドラム８４がテープを巻き取る方向へ回転する場合には、図９（１）に示すように、上記斜板カム部９０の降り方向へ回転動して上記ドラム８４の開口側周縁部９１が上記ケースの内側周面部８６から離間して制動力が解消されるように構成された巻尺の制動構造が提案されている（特許文献１）。
【０００７】
しかしながら、このような従来の巻尺の制動構造にあっては、上記ドラム８４の回転により斜板カム従動部８９が上記斜板カム部９０の登り方向へ回転動し上記ドラム８４の開口側周縁部９１が上記ケースの内側周面部８６に圧接する際には、上記ドラム８４の開口側周縁部９１の全周縁部が上記ケース内側周面部８６に圧接することとなる。
その結果、図１０に示すように、作業者がテープを引き出している際に、ドラム８４の周縁部全体がケース８１の内側周縁部８６に圧接し、その結果、突然に大きな制動力が発生してテープを引き出している手に大きなショックが伝わることから、余り使いやすくない、という不具合があった。
【０００８】
このような事情は、特に、小型の巻尺の場合に顕著であり、小型の巻尺にあってはテープの長さも短い（２０ｍ〜３０ｍ）ことから非常に大きな制動力が瞬時に発生し、制動が効きすぎ、却ってテープを引き出しにくい、という不具合があった。
【０００９】
また、上記ドラム８４の開口側周縁部８９と上記ケース内側周面部８６とが、設計誤差又は取り付け誤差等により面部全体が均一に当接しないような場合には、僅かな誤差であっても、双方の面部が均一に当接しない場合には、結果的に、余り大きな制動力を発揮することができない。
従って、製造誤差又は取り付け誤差により製品個々によって大きな制動力を奏する場合とそうではない場合とが生じ、製品間でのばらつきが発生する場合があった。
【００１０】
【特許文献１】特開平９‐２８７９０１号公報
【発明の開示】
【発明が解決しようとする課題】
【００１１】
そこで本願発明は、小型の巻尺であっても適度な制動力を得ることができると共に、製品間において制動力のばらつきがなく、テープを引き出しやすい巻尺の制動構造を提供することにある。
【課題を解決するための手段】
【００１２】
上記課題解決のため、請求項１記載の発明にあっては、巻き取られた巻尺テープを収納する巻尺ケースと、上記巻尺ケース内に厚さ方向に沿って突設された軸部に回転可能に装着され、上記巻尺テープが巻装されるドラムとを備え、上記テープが巻尺ケースから引き出される際に、上記ドラムを上記巻尺ケースの内側面部に圧接させて制動力を得るように構成された巻尺ケースの制動構造において、上記ドラムの周縁部を部分的に巻尺ケースの内側面部に圧接させることを特徴とする。
従って、上記ドラムを上記巻尺ケースの内側面部に圧接させて制動力を得る場合であっても、上記ドラムの全周縁部が巻尺ケースの内側面部に圧接するという事態はない。
【００１３】
請求項２記載の発明にあっては、上記巻尺ケースは内部に巻尺テープを収納しうる厚さ寸法を有する全体円盤状に形成されると共に、上記ドラムの周縁部には上記巻尺ケースの内側面部に圧接しうる制動部が互いに間隔を置いて設けられていることを特徴とする。
【００１４】
請求項３記載の発明にあっては、上記制動部は、巻尺ケース内側面部に対して弾性的に圧接しうるように構成されていることを特徴とする。
請求項４記載の発明にあっては、上記巻尺ケースは、厚さ方向の一側面部には円形開口部を有し、上記ドラムは、上記円形開口部に配置される本体部と、上記本体部に連設され、上記テープが巻装される巻取り部とを有し、上記本体部の周縁には上記開口部の内方周縁部に圧接しうる制動部が設けられていることを特徴とする。
【００１５】
請求項５記載の発明にあっては、上記制動部は、上記本体部の周縁に所定間隔をおいて複数形成された基部と、上記基部から軸方向に突出形成された突部とを有することを特徴とする。
請求項６記載の発明にあっては、上記基部は、上記ドラムの外周面部に固定された脚部と、上記脚部から上記外周面部から離間して配置され、上記突部が形成された支持部とを備えていることを特徴とする。
【００１６】
請求項７記載の発明にあっては、上記基部は平面コ字状に形成され、支持部の両端に設けられた一対の脚部を有し、上記突部は上記支持部の長さ方向中央部に形成され、ドラムの軸方向に沿って、上記支持部の弾性変形により可撓するように構成されていることを特徴とする。
【発明の効果】
【００１７】
請求項１及び２記載の発明にあっては、従来のように、上記ドラムを上記巻尺ケースの内側面部に圧接させて制動力を得る場合であっても、上記ドラムの全周縁部が巻尺ケースの内側面部に圧接しないことから、瞬時に大きな制動力が作用し、使用者の手に負担を掛け、取り扱いにくいという事態を防止することができる。
【００１８】
その結果、小型の巻尺の場合であってテープの長さが短い場合であっても、非常に大きな制動力が瞬時に発生し、制動が効きすぎ、却ってテープを引き出しにくい、という不具合を解消することができる。
【００１９】
また、請求項３〜７記載の発明にあっては、上記制動部は、巻尺ケース内側面部に対して弾性的に圧接しうるように構成されていることから、請求項１及び２記載の発明の効果に加えて、より円滑に制動部が巻尺ケース内側面部に当接することができ、除々に摩擦力を発生させることができる。また、巻尺ケース側やドラム側に製造誤差や取り付け誤差があり、本来想定する当接状態に反する事態があった場合であっても、容易に上記の誤差を吸収することができ、従来のような製造誤差又は取り付け誤差により、発生する制動力に相違がある、という事態を有効に回避することができる。
【発明を実施するための最良の形態】
【００２０】
本発明に係る巻尺ケースの制動構造を、図面に基づき詳細に説明する。
本形態に係る巻尺ケースの制動構造が適用される巻尺１０は、図１及び図２に示すように、内部に巻き取られた金属製の巻尺テープ１１を収納する、所定の厚さ寸法を有し全体略円盤状に形成さ.れた合成樹脂製の巻尺ケース１２からなる。
【００２１】
図２に示すように、この巻尺ケース１２は、上記巻尺ケース１２内に厚さ方向に沿って突設された軸部１３に回転可能に装着され、上記巻尺テープ１１が巻装される合成樹脂製のドラム１４を備えている。
上記巻尺ケース１２は、厚さ方向の一側面部には円形開口部１５を有してお
り、上記ドラム１４は合成樹脂による一体成型であって、上記円形開口部１５
に配置される本体部１６と、上記本体部１６に連設され、上記テープ１１が巻
装される巻取り部１７とを有している。
【００２２】
そして、上記ドラム１４の基端部２３には斜板カム従動部２４が設けられて
いると共に、巻尺ケース１２側には、軸部１３の周囲に、上記斜板カム従動部２４に対向して配置される斜板カム部２５が設けられている。
従って、上記ドラム１４が巻尺テープ１１を開放する方向へ回転する場合には上記斜板カム従動部２４が斜板カム部２５の登り方向へ回転動して上記ドラム１４の開口側周縁部２６が上記ケース内側面部２７に圧接して制動力を発生し、また、上記ドラム１４が巻尺テープ１１を巻き取る方向へ回転する場合には上記斜板カム部２５の降り方向へ回転動して上記ドラム１４の開口側周縁部２６が上記ケース内側面部２７から離間して上記制動力が解消されるように構成されている。
【００２３】
そして、図２〜図５に示すように、上記本体部１６の周縁には上記円形開口部１５の内方周縁部１９に圧接しうる制動部１８が設けられている。
上記円形開口部１５は、本実施の形態にあっては、上記巻尺ケース１２の厚さ方向一側面部１７の略全域に亘って形成されており、上記円形開口部１５の周縁には、上記ドラム１４の本体部１６の制動部１８が当接する内方周縁部１９が形成されると共に、上記内方周縁部１９から略直角に連設され、上記制動部１８の側面部２０が摺接する平面円形状の突条部２８が全周に亘って形成されている。
【００２４】
図３に示すように、本実施の形態にあっては、上記制動部１８は、上記本体部１６の周縁部に、互いに所定間隔を置いて８個形成されている。上記制動部１８は、図２〜図４に示すように、全体側面略コ字状に形成され、上記本体部１６の周縁に所定間隔をおいて複数形成された基部２１と、上記基部２１から軸方向（本体部１６の厚さ方向）に突出形成された突部２２とを有している。
【００２５】
上記基部２１は、上記ドラムの外周面部３１に固定された一対の脚部２９，２９と、上記一対の脚部２９，２９の間に形成され、上記外周面部３１から離間して配置され、上記突部２２が形成された支持部３０とを備えている。
上記一対の脚部２９，２９は、夫々、略直方体形状に形成され、上記支持部３０は、上記脚部２９，２９の上端部において掛け渡されるようにして設けられている。基部２１は、上記本体部１６の曲率と同一の曲率に形成されている。
【００２６】
上記突部２２は上記支持部３０の長さ方向中央部において、支持部３０の幅寸法と同一の幅寸法であって上記支持部３０の１／３の長さ寸法の略直方体形状に形成され、上面部が当接面部３２として形成されている。
【００２７】
以下に、本実施の形態に係る巻尺ケースの制動構造の作用について説明する。
図１に示すように、本実施の形態に係る巻尺ケース１０から金属製の巻尺テープ１１を先端部のリング部材３１を介して引き出した場合には、ドラム１４に固定された上記斜板カム従動部２４が巻尺ケース１２側に設けられた斜板カム部２５の登り方向へ回転動することにより、斜板カム従動部２４がドラム１４を軸方向に沿って円形開口部１５側へ押すこととなり、その結果、上記制動部１８は巻尺ケース１２の内方周縁部１９へ圧接する。
【００２８】
この場合、図６（１）及び（２）に示すように、上記制動部１８を構成する突部２２の当接面部３２が上記内方周縁部１９へ摺接し始め、その後、さらに上記斜板カム従動部２４によって内方周縁部１９方向へ押しつけられる場合には、上記突部２２は上記支持部３０の厚さ方向に沿って押されることとなる。この場合、図６（３）に示すように、支持部３０は一対の脚部２９，２９の間に掛け渡されるように一体形成されていることから、上記支持部３０はドラム１４の軸方向に沿って弾性変形して撓む。
【００２９】
その結果、この支持部３０の弾性変形により、上記斜板カム従動部２４による内方周縁部１９への圧接力は吸収されることから、従来におけるように、ドラム１４の周縁部全体が内方周縁部全体に剛的に圧接する場合とは異なり、発生する摩擦力を柔軟に低減することができる。
【００３０】
その結果、図６（１）〜（３）及び図７に示すように、非接触の状態から上記突部２２が内側周縁部１９に圧接し始め、さらに完全に押し付けられることになるが、上記のように圧接力を上記支持部３０の弾性変形により吸収するため、摩擦力を除々に発生させることができる。
その結果、本実施の形態に係る巻尺ケースの制動構造にあっては、従来のようなドラム１４の周縁部全体がケースの内側周縁部全体に圧接するように構成された場合とは異なり、制動部１８を構成する突起部２２のみがケースの内側周縁部１９に圧接するように構成されていることから、ドラム１４のケースの内側周縁部１９への当接面積が減少するため、発生する摩擦力を従来よりも低減することができる。
【００３１】
さらに、上記のように制動部１８を構成する突部２２が形成された支持部３０が一対の脚部２９，２９の間に形成され、内側周縁部１９へ突部２２が圧接する際には軸部１３の軸方向に沿って弾性変形して撓むように構成されていることから、適宜、発生する過剰な摩擦力を吸収しながら制動力を発生させることができ、従来のような、巻尺テープ１１を引き出した場合に、突然に大きな制動力が発生する、という事態を防止することができる。
【００３２】
その結果、使用者が巻尺テープ１１を引き出す際に、手に突然に衝撃を与えることのない、使いやすい巻尺を提供することができる。
また、本実施の形態に係る巻尺ケースの制動構造にあっては、上記制動部１８は、上記本体部１６の周縁部に、互いに所定間隔を置いて８個形成され、上記制動部１８は、図２〜５に示すように、全体略コ字状に形成され、上記本体部１６の周縁に所定間隔をおいて複数形成された基部２１と、上記基部２１から軸方向（本体部１６の厚さ方向）に突出形成された突部２２とを有するように構成されていることから、巻尺テープ１１の長さによって巻尺テープ１１の重量が異なり、引き出した場合に巻尺テープ１１に作用する慣性力も異なるが、巻尺テープ１１の長さに応じて、例えば、突部２２の大きさ、突部２２の当接面部３２の表面積、及び上記突部２２が形成された支持部３０の幅寸法、および材質を適宜変更することにより、突部２２が巻尺ケース１２の内側周面部１９に圧接した場合の弾性力を調節することができ、最も適切な制動力を有する巻尺を作製することができる。その結果、製品の種類に応じた適切な制動力を有する多種類の巻尺を提供することができる。
【００３３】
なお、上記実施の形態にあっては、制動部１８が全体として８個設けられている場合を例に説明したが、制動部１８の個数に関しては上記実施の形態に限定されない。また、制動部１８の具体的構造に関しても上記実施の形態に限定されない。
【００３４】
また、本実施の形態にあっては、巻尺テープ１１が金属製の場合を例に説明したが、上記実施の形態に限定されず、合成樹脂製の巻尺テープからなる巻尺に関しても適用することができる。
【産業上の利用可能性】
【００３５】
本発明は、広く、密閉型の巻尺のケースに適用することができる。
【図面の簡単な説明】
【００３６】
【図１】本発明に係る巻尺ケースの制動構造の一実施の形態を示す斜視図である。
【図２】本発明に係る巻尺ケースの制動構造の一実施の形態を示し、図１の２−２線断面図であって、制動部を一部拡大して示す図である。
【図３】本発明に係る巻尺ケースの制動構造の一実施の形態を示し、巻尺テープが巻装されるドラムを構成する本体部を示す平面図である。
【図４】本発明に係る巻尺ケースの制動構造の一実施の形態を示し、巻尺テープが巻装されるドラムを構成する本体部を示す斜視図である。
【図５】本発明に係る巻尺ケースの制動構造の一実施の形態を示し、巻尺テープが巻装されるドラムを構成する本体部に設けられた制動部を独立して示す斜視図である。
【図６】本発明に係る巻尺ケースの制動構造の一実施の形態を示し、巻尺テープが巻装されるドラムを構成する本体部に設けられた制動部の突部と、上記突部の巻尺ケースの内方周面部への圧接の状態を部分的に拡大して示す説明断面図である。
【図７】本発明に係る巻尺ケースの制動構造の一実施の形態を示し、巻尺テープが巻装されるドラムを構成する本体部に設けられた制動部の突部と、巻尺ケースの内方周面部への圧接の状態を部分的に拡大して示す説明断面図及び、非接触の状態から接触後の状態の間における制動部とケースの内方周縁部との関係を横軸にし、摩擦力の大きさを縦軸にしたグラフである。
【図８】従来の巻尺ケースの制動構造を一般的に示す断面図である。
【図９】従来の巻尺ケースの制動構造の改良例を示し、斜板カム部及び斜板カム従動部を設けた場合を示す断面図である。
【図１０】従来の巻尺ケースの制動構造におけるドラムの周縁部とケースの内側周面部との圧接の状態を部分的に拡大して示す説明断面図及び、非接触の状態から接触後の状態の間におけるドラムの周縁部とケースの内方周縁部との関係を横軸にし、摩擦力の大きさを縦軸にして表現したグラフである。
【符号の説明】
【００３７】
１０  巻尺
１１  巻尺テープ
１２  巻尺ケース
１３  軸部
１４  ドラム
１５  円形開口部
１６  本体部
１７  巻き取り部
１８  制動部
１９  内方周縁部
２０  側面部
２１  基部
２２  突部
２３  基端部
２４  斜板カム従動部
２５  斜板カム部
２６  開口側周縁部
２７  ケース内側面部
２８  突条部
２９  脚部
３０  支持部
３１  外周面部
８０  巻尺
８１  ケース
８２  軸部
８３  開口部
８４  ドラム
８５  板バネ
８６  内側周面部
８７  リング部材
８８  基端部
８９  斜板カム従動部
９０  斜板カム部
９１  開口周縁部
【図１】
2010156559.tif 000003
【図２】
2010156559.tif 000004
【図３】
2010156559.tif 000005
【図４】
2010156559.tif 000006
【図５】
2010156559.tif 000007
【図６】
2010156559.tif 000008
【図７】
2010156559.tif 000009
【図８】
2010156559.tif 000010
【図９】
2010156559.tif 000011
【図１０】
2010156559.tif 000012